(57)【要約】【課題】  この発明は、木造建築物の仕口に用いる両引きプレート及びこれを用いた仕口装置に関する。【解決手段】  この発明は、木造建築物の仕口部の補強に用いる方形鋼板に、ほぞ孔を設けると共に、前記鋼板に釘孔を設けたことを特徴とする両引きプレート、又は木造建築物の梁と梁の仕口部の上部へ、仕口のほぞ孔と、プレートのほぞ孔を一致させた後、プレートを対向する仕口梁に夫々釘付け固定したことを特徴とするプレート付仕口装置により目的を達成した。【選択図】  図１
2006144453.tif 000002
【特許請求の範囲】
【請求項１】
木造建築物の仕口部の補強に用いる方形鋼板に、ほぞ孔を設けると共に、前記鋼板に釘孔を設けたことを特徴とする両引きプレート。
【請求項２】
ほぞ孔は、方形鋼板の中央部に設け、又は偏心して設けたことを特徴とする請求項１記載の両引きプレート。
【請求項３】
木造建築物の梁と梁の仕口部の上部へ、仕口のほぞ孔と、プレートのほぞ孔を一致させた後、プレートを対向する仕口梁に夫々釘付け固定したことを特徴とするプレート付仕口装置。
【発明の詳細な説明】
【技術分野】
【０００１】
この発明は、木造建築物の仕口部の対向梁の上部又は上部と下部に、両引きプレートの両側部を釘固定して、仕口部を補強することを目的とした両引きプレート及びこれを用いた仕口装置に関する。
【背景技術】
【０００２】
近来木造建築の仕口部は金物で補強することが普通に行われている。例えば、両引き用としては羽子板ボルトその他の補強金物が使用されていた。
【特許文献１】特開２００３−１３５０２
【特許文献２】特開２００２−３２３０２７
【発明の開示】
【発明が解決しようとする課題】
【０００３】
前記羽子板ボルト又は補強金物などは、梁又は柱などの外側へ全部露出している為に、梁を露出する建築様式においては、下部から見える問題点があった。また羽子板ボルトの場合には、構造上、仕口の芯から若干外れて設ける場合があり、地震などの場合に全方位的力学上、バランスを欠くおそれもあった。
【課題を解決するための手段】
【０００４】
然るにこの発明は、対向梁の中心線上に設置できるので、バランスを欠くことなく、かつ最も引張力を必要とする梁の上面へ密着固定できるので、その効力を十分発揮し、従来の問題点を解決したのである。
【０００５】
また設置場所が仕口上（又は上下）であり、かつプレートの為に、外部から見えない利点もある。
【０００６】
即ちこの発明は、木造建築物の仕口部の補強に用いる方形鋼板に、ほぞ孔を設けると共に、前記鋼板に釘孔を設けたことを特徴とする両引きプレートであり、ほぞ孔は、方形鋼板の中央部に設け、又は偏心して設けたものである。
【０００７】
また、木造建築物の梁と梁の仕口部の上部へ、仕口のほぞ孔と、プレートのほぞ孔を一致させた後、プレートを対向する仕口梁に夫々釘付け固定したことを特徴とするプレート付仕口装置である。
【０００８】
この発明において、両引きプレートには、ほぞ孔を設けたので、柱と梁はほぞで連結され、外力を受けてもずれるおそれはない。
【０００９】
また両引きプレートは、比較的薄く（例えば厚さ０．５ｍｍ〜１ｍｍ）、柱と梁の当接部に力学的不調和を来すおそれはなく、柱の寸法などにも問題を生じるおそれはない。
【００１０】
この発明の仕口装置において、最も引張力の働く梁の上面を、鋼板（高張力鋼）で補強するので、梁端の蟻溝と突部との結合部に掛る力を緩和し、その破壊を防止することができる。
【００１１】
従来木造建築において弱点とされる仕口部の破壊を未然に防止することができる。
【００１２】
前記両引きプレートの釘孔の配置及び数は、ほぞ孔の位置を勘案し、適宜定める。
【発明の効果】
【００１３】
この発明によれば、対向する梁の仕口を補強する為に両引きプレートを使用したので、両梁が離れる方向へ外力が働いた場合に、十分の効力を発揮し、仕口の破壊を未然に防止できる効果がある。また上下の柱に対しても、ほぞ孔によって支障なく正しい仕口を構成することができる。
【００１４】
更に梁等の露出する構造物にあっても、外観を損することなく、木造の美点を十分発揮できる効果がある。
【発明を実施するための最良の形態】
【００１５】
この発明は、木造建築物の仕口部の補強に使用する方形鋼板の中央部付近にほぞ孔を設けると共に、前記鋼板の両側部に梁と固着する釘の釘孔を設けて両引きプレートを構成した。
【００１６】
前記鋼板の外形寸法は、取付場所の状態によって異なるが、短辺と長辺の割合は、１：１．５〜３の短形板が多いと思われる。
【００１７】
また厚さは鋼板の抗張力と断面積によって異なるが、高張力鋼の場合０．５ｍｍ〜１ｍｍ（但し張力の方向と直角な辺の長さが１００ｍｍ程度）である。また仕口装置は、受ける梁と、掛かる梁の仕口の上面部に、ほぞ孔を合わせて両引きプレートを当接し、該両引きプレートを釘で固定してこの発明の仕口を構成した。
【実施例１】
【００１８】
この発明の実施例を図１について説明すると、高張力鋼からなる矩形の鋼板１の中央部にほぞ孔２を設け、前記鋼板１の短辺側に、近接して４個の釘孔３を夫々一列に設け、その内側に２個の釘孔３ａを夫々設けてこの発明の両引きプレート５を構成した。
【００１９】
また図２の実施例は、矩形の鋼板１の右側部へ（中央部から右側、図２（ａ））ほぞ孔２を設け、ほぞ孔２の右側辺に近く、釘孔３を５個設け、前記ほぞ孔２の左側上下へ釘孔３ａを２個設け、前記鋼板１の左側辺へ釘孔３を４個設け、その内側へ釘孔３ａを２個設けてこの発明の両引きプレート５ａを構成した。図中４は、各釘孔の下面に突出した環状線であって、釘打ちにより、梁面へ食い込むことになる。
【実施例２】
【００２０】
この発明の他の実施例を図３について説明すると、受ける梁６に掛かる梁７、７を掛けて仕口８を構成し、仕口８の中央上面へ、図１に示す両引きプレート５を当接し、釘打ちして固着し、この発明の仕口装置１０を構成した。図中９、１１は上下の柱、１２は釘である。
【００２１】
また図４の実施例は、受ける梁６に掛ける梁７、７を掛けて仕口８を構成し、仕口８の中央上面へ、図２に示す両引きプレート５ａを当接し、釘打ちして固着し、この発明の仕口装置１０ａを構成した。図中９、１１は上下の柱である。
【００２２】
前記各実施例は、掛ける梁の仕口部の中央上面に両引きプレートを固着したが、上下両面に両引きプレートを固着することを妨げない。何れにしても、上下柱があるので、外部から鋼板は見えない。
【実施例３】
【００２３】
この発明の他の実施例を図５について説明すると、高張力鋼からなる矩形の鋼板１の中央部にほぞ孔２を設け、前記鋼板１の短辺側に、近接して４個の釘孔３を夫々一列に設け、その内側に２個の釘孔３ａを夫々設けると共に、長辺の中央部両側へ、柱に固着する為に、直角に、立上り板１３、１３を対向設置し、該立上り板１３、１３へ夫々釘孔１４、１４を設けて、この発明の両引きプレート１５を構成した。
【００２４】
前記実施例の両引きプレート１５は、受け梁６と掛かる梁７の仕口８の上面に鋼板１を固定し、立上り板１３、１３を柱９の両側に固定して、梁と柱を金属結合し、仕口を補強している。
【図面の簡単な説明】
【００２５】
【図１】（ａ）この発明の実施例の拡大平面図、（ｂ）同じく拡大側面図、（ｃ）同じく（ａ）中Ａ−Ａ拡大断面図。
【図２】（ａ）同じく他の実施例の拡大平面図、（ｂ）同じく拡大側面図、（ｃ）同じく（ａ）中Ｂ−Ｂ拡大断面図。
【図３】（ａ）同じく仕口装置の実施例の両引きプレート固着前の斜視図、（ｂ）同じく固着後の斜視図。
【図４】（ａ）同じく仕口装置の他の実施例の両引きプレート固着前の斜視図、（ｂ）同じく固着後の斜視図。
【図５】（ａ）同じく他の実施例の拡大斜視図、（ｂ）同じく使用状態の一部断面図。
【符号の説明】
【００２６】
１  鋼板
２  ほぞ孔
３、３ａ  釘孔
４  環状縁
５、５ａ  両引きプレート
６  受ける梁
７  掛ける梁
８  仕口
９、１１  柱
１０  仕口装置
【図１】
2006144453.tif 000003
【図２】
2006144453.tif 000004
【図３】
2006144453.tif 000005
【図４】
2006144453.tif 000006
【図５】
2006144453.tif 000007